(57)【特許請求の範囲】
【請求項１】
基地局（１１０）とユーザ装置（１２０）とが無線通信システム（１００）に含まれ、前記ユーザ装置（１２０）から前記基地局（１１０）へ送信される信号のリンクアダプテーションのための、ユーザ装置（１２０）における方法であって、
前記ユーザ装置（１２０）から前記基地局（１１０）への信号の伝送のために利用可能なリソースブロックの指示を含む情報を、前記基地局（１１０）から受信するステップ（４０１）と、
ユーザ装置に関連するパラメータ又はリンクに関連するパラメータの少なくとも１つを取得するステップ（４０３）と、
測られた前記ユーザ装置に関連するパラメータ又は測られた前記リンクに関連するパラメータの少なくとも１つに基づいて、前記基地局（１１０）から受信した、指示された利用可能なリソースブロックのうち、前記基地局（１１０）への信号の送信のために使用される部分集合を選択するステップ（４０４）と、
を有し、
前記リソースブロックの前記部分集合は、選択されたリソースブロックの伝送パターンが上りリンク制御情報の表示としての機能を果たすように選択され、前記上りリンク制御情報は、伝送フォーマット、さらなるリソースの要求の表示、又は電力ヘッドルームのいずれかである、
ことを特徴とする方法。
【請求項２】
前記ユーザ装置に関連するパラメータは、前記ユーザ装置（１２０）のバッファのバッファ状態値または前記ユーザ装置（１２０）の電力ヘッドルームのいずれかである、
ことを特徴とする請求項１に記載の方法。
【請求項３】
前記リンクに関連するパラメータは、測定された下りリンクの伝搬損失、測定された下りリンクの参照信号強度、測定された下りリンクのパイロット信号強度、又は測定された受信信号対雑音比、ＳＩＮＲのいずれかである、
ことを特徴とする請求項１又は２に記載の方法。
【請求項４】
前記基地局（１１０）から受信した、指示された利用可能なリソースブロックのうち、部分集合を選択する前記ステップ（４０４）は、リソースブロック選択に関する情報を含むテーブルと対照して、測られた前記ユーザ装置に関連するパラメータ又は測られた前記リンクに関連するパラメータをマッピングすることを含む、
ことを特徴とする請求項１から３のいずれか１項に記載の方法。
【請求項５】
許容される変調及び符号化手法の指示を含む情報を前記基地局（１１０）から受信するステップ（４０２）と、
リソースブロックの選択された前記部分集合で前記基地局（１１０）へ信号を送信する際に用いられる変調及び符号化手法を選択するステップ（４０５）とをさらに有する、
ことを特徴とする請求項１から４のいずれか１項に記載の方法。
【請求項６】
前記基地局（１１０）から受信した、指示された利用可能なリソースブロックのうち、部分集合を選択する前記ステップ（４０４）は、前記ユーザ装置（１２０）のバッファが空である場合は、ゼロ個のリソースブロックを選択することを含む
ことを特徴とする請求項１から５のいずれか１項に記載の方法。
【請求項７】
前記無線通信システム（１００）は、ユニバーサル移動通信サービス（ＵＭＴＳ）、地上無線アクセスネットワーク（ＵＴＲＡＮ）、ロングタームエボリューション（ＬＴＥ）に基づき、前記基地局（１１０）はｅＮｏｄｅＢにより表される、
ことを特徴とする請求項１から６のいずれか１項に記載の方法。
【請求項８】
基地局（１１０）とユーザ装置（１２０）とが無線通信システム（１００）に含まれ、前記ユーザ装置（１２０）から前記基地局（１１０）へ送信される信号のリンクアダプテーションのための、ユーザ装置（１２０）における装置（５００）であって、
前記ユーザ装置（１２０）から前記基地局（１１０）への信号の伝送のために利用可能なリソースブロックの指示を含む情報を、前記基地局（１１０）から受信する受信器（５１０）と、
ユーザ装置に関連するパラメータ又はリンクに関連するパラメータの少なくとも１つを取得する取得部（５３０）と、
測られた前記ユーザ装置に関連するパラメータ又は測られた前記リンクに関連するパラメータの少なくとも１つに基づいて、前記基地局（１１０）から受信した、指示された利用可能なリソースブロックのうち、前記基地局（１１０）への信号の送信のために使用される部分集合を選択する選択部（５４０）と、
を備え、
前記リソースブロックの前記部分集合は、選択されたリソースブロックの伝送パターンが上りリンク制御情報の表示としての機能を果たすように選択され、前記上りリンク制御情報は、伝送フォーマット、さらなるリソースの要求の表示、又は電力ヘッドルームのいずれかである、
ことを特徴とする装置。
【請求項９】
基地局（１１０）とユーザ装置（１２０）とが無線通信システム（１００）に含まれ、前記ユーザ装置（１２０）から前記基地局（１１０）へ送信される信号のリンクアダプテーションの実行において、前記ユーザ装置（１２０）をアシストするための、前記基地局（１１０）における方法であって、
前記ユーザ装置（１２０）から前記基地局（１１０）への信号の伝送に利用可能なリソースブロックの指示を含む情報を、前記ユーザ装置へ送信するステップ（６０２）と、
指示された利用可能な前記リソースブロックのうち、ユーザ装置が選択した部分集合であるリソースブロックを、前記ユーザ装置（１２０）から受信するステップ（６０４）と、
受信された前記リソースブロックにおける、上りリンク制御情報の表示として機能する伝送パターンを検出するステップ（６０５）と、
を有し、
前記上りリンク制御情報は、伝送フォーマット、さらなるリソースの要求の表示、又は電力ヘッドルームのいずれかである、
ことを特徴とする方法。
【請求項１０】
前記ユーザ装置（１２０）へ情報を送信する前記ステップ（６０２）は、前記ユーザ装置（１２０）から前記基地局（１１０）への信号の伝送に利用可能なリソースブロックを選択するステップ（６０１）に先行される、
ことを特徴とする請求項９に記載の方法。
【請求項１１】
許容される変調及び符号化手法の指示を含む情報を、前記ユーザ装置（１２０）へ送信するステップをさらに有する、
ことを特徴とする請求項９又は１０に記載の方法。
【請求項１２】
前記無線通信システム（１００）は、ユニバーサル移動通信サービス（ＵＭＴＳ）、地上無線アクセスネットワーク（ＵＴＲＡＮ）、ロングタームエボリューション（ＬＴＥ）に基づき、前記基地局（１１０）はｅＮｏｄｅＢにより表される、
ことを特徴とする請求項９から１１のいずれか１項に記載の方法。
【請求項１３】
基地局（１１０）とユーザ装置（１２０）とが無線通信システム（１００）に含まれ、前記ユーザ装置（１２０）から前記基地局（１１０）へ送信される信号のリンクアダプテーションの実行において、前記ユーザ装置（１２０）をアシストするための、前記基地局（１１０）における装置（７００）であって、
前記ユーザ装置（１２０）から前記基地局（１１０）への信号の伝送に利用可能なリソースブロックの指示を含む情報を、前記ユーザ装置へ送信する送信器（７２０）と、
指示された利用可能な前記リソースブロックのうち、ユーザ装置が選択した部分集合であるリソースブロックを、前記ユーザ装置（１２０）から受信する受信器（７４０）と
受信された前記リソースブロックにおける、上りリンク制御情報の表示として機能する伝送パターンを検出する検出部（６０５）と、
を備え、
前記上りリンク制御情報は、伝送フォーマット、さらなるリソースの要求の表示、又は電力ヘッドルームのいずれかである、
ことを特徴とする装置。
【発明の詳細な説明】
【技術分野】
【０００１】
本発明は、ユーザ装置における方法並びに装置、及び基地局における方法並びに装置に関する。より具体的には、本発明は、ユーザ装置から基地局へ送信される信号のリンクアダプテーションのための機構に関する。
【背景技術】
【０００２】
無線アクセスにおけるリンクアダプテーションは、例えば、符号化、電力、又は変調方式を、現在の主なリンクの条件に合わせるための機構である。典型的には、その機構は、現在のリンク特性を測定し推定するためのいくつかのソリューションを含み、そしてその入力に基づいて、典型的には、フェージングチャネル上での伝送を実行する際に最適と考えられる、例えば、送信電力と、チャネル符号化と、変調方式と、アンテナ構成との少なくとも１つを決定する、いくつかの選択または決定機構がある。このリンクアダプテーションは、非常に多様性のあるフェージング条件に対して、無線リンク上でのデータ伝送を適合させることを可能とし、そこでは、有利な条件では非常に高いビットレートがサポートでき、厳しい無線条件下では低いが維持可能なビットレートがサポートされる。
【０００３】
リソース割り当ても、典型的には伝送のニーズ、すなわち、送信機におけるバッファの満たされた度合い（buffer fill level）による影響を受ける。
【０００４】
第３世代パートナーシッププロジェクト（３ＧＰＰ）では、ロングタームエボリューション（ＬＴＥ）の取り組みの一部として、ＵＭＴＳ地上無線アクセスネットワーク（ＵＴＲＡＮ）の進化（Ｅ−ＵＴＲＡ）の仕様上で作業が進行している。
【０００５】
ＵＴＲＡＮとＬＴＥは両方共、以下で簡単に述べるように、そのようなリンクアダプテーションを含む。
【０００６】
３ＧＰＰ  ＵＴＲＡＮの仕様のＲｅｌｅａｓｅ  ５バージョンで導入された高速ダウンリンク共有チャネル（ＨＳ−ＤＳＣＨ）のリンクアダプテーションをサポートするために、ユーザ装置（ＵＥ）は、下りリンクチャネル品質を測定するように構成されることができる。無線下りリンクは、基地局から、ユーザ装置又はユーザ装置とも呼ばれるような端末への伝送経路である。上りリンクは下りリンクの逆のものであり、すなわち、ユーザ装置から基地局への伝送経路である。そして、ユーザ装置は、例えば、コードの電力および／または数、及び変調及びチャネル符号化（ＭＣＳ）のような、ユーザ装置への伝送時の適切なリソースの選択において、これらのチャネル品質指標（ＣＱＩ）レポートを用いるかもしれない無線基地局、すなわちノードＢへ測定結果を報告する。リソースと、変調及びチャネル符号化の選択は、ユーザ装置へ送信される情報ビットの数に影響するであろう。その選択は、ユーザ装置が送信された伝送ブロックを無事に受信するために要求される、ＨＡＲＱ再送信の数にも影響するかもしれない。
【０００７】
３ＧＰＰ  ＵＴＲＡＮの仕様のＲｅｌｅａｓｅ  ６において導入されたエンハンスト個別チャネル（Ｅ−ＤＣＨ）は、ネットワークにおけるスケジューラにより割り当てられたスケジューリングの制約を前提として、ユーザ装置が送信する情報ビットの数をバッファの状態及びユーザ装置の電力量に基づいて選択する、伝送フォーマット（transport format）のユーザ装置選択をサポートしている。各伝送フォーマットは、高速電力制御により制御される個別物理制御チャネル（ＤＰＣＣＨ）と相対的な、設定可能な電力オフセットと関連付けられる。このように、基地局に近接する、すなわち、有利なリンク条件を伴うユーザ装置は、基地局から遠いユーザ装置と比較して極めて良好な電力量を有するであろう。逆にいえば、基地局に近接するユーザ装置は、基地局から離れたユーザ装置と比較して、同じ量のユーザ装置電力で、より多くの情報ビットを送信することができる。
【０００８】
Ｅ−ＤＣＨはまた軟合成（soft-combining）を伴う複合自動再送要求（ＨＡＲＱ）をサポートしており、そして、最近は高次変調へのサポートが導入されている。
【０００９】
ＨＡＲＱは、ＡＲＱ誤り制御方法のバリエーションである。標準的なＡＲＱでは、巡回冗長検査、ＣＲＣのような、誤り検出情報ビットが送信されるべきデータに付加される。標準的なＡＲＱでは、誤って受信されたブロックは破棄され、再送信が要求される。ＨＡＲＱでは、ブロックに誤りがあっても受信情報は保持され、その後、この情報は再送信と組み合わされる。結果として、ＨＡＲＱは質が悪い信号条件において、普通のＡＲＱより良好に動作する。
【００１０】
ＵＴＲＡＮのチャネルの非直交性により、セル内及びセル間干渉の効果を両方とも最小化するためには、説明した上記のリンクアダプテーション機構が重要である。例として上りリンクをとると、ユーザ装置は、他の継続している伝送へのできるだけ少ない影響すなわち干渉を伴って、受信機において無事復号するのに必要な、例えば最適な伝送ブロック（transport block）、電力などのようなリソースのみを理想的には利用するべきである。
【００１１】
ＵＴＲＡＮのロングタームエボリューション（ＬＴＥ）、ｅ−ＵＴＲＡＮでは、リンクアダプテーションは、下りリンクと上りリンクの両方において、無線基地局ｅＮｏｄｅＢにより完全に制御される。スケジューリングは媒体アクセス制御（ＭＡＣ）レイヤによりモデル化され、ｅＮｏｄｅＢに存在する。スケジューラは、リソースブロックとも呼ばれる無線リソースを、物理下りリンク制御チャネル（ＰＤＣＣＨ）を用いて、上りリンク（許可）に対するだけでなく下りリンク（割り当て）に対しても割り当てる。
【００１２】
ｅ−ＵＴＲＡＮにおける下りリンクのリンクアダプテーションの特性は、ＵＴＲＡＮのＨＳ−ＤＳＣＨソリューションと同様である。ユーザ装置は、ｅＮｏｄｅＢにより送信される参照シンボルに基づいて、それらのリンク品質を測定し報告するように構成されることができる。これらのレポートに基づいて、ｅＮｏｄｅＢはユーザ装置への送信時に用いるべき最適なリソースと変調及びチャネル符号化とを選択する。
【００１３】
しかしながら、ＬＴＥにおける上りリンクのリンクアダプテーションは、基本的にＵＴＲＡＮのＥ−ＤＣＨソリューションと異なる。ＬＴＥでは、ユーザ装置はリソース又は変調及びチャネル符号化を選択する自由は有さず、ｅＮｏｄｅＢにより実行される選択に従う必要がある。ｅＮｏｄｅＢは、この選択をＰＤＣＣＨ制御チャネル上でユーザ装置へシグナリングする。このアプローチを採用する１つの重要な理由は、ＵＴＲＡＮと対照的に、セル内の上りリンクのリソースが直交することである。これは、各上りリンクの時間及び周波数リソースがただ１つの送信機に割り当てられ、このリソースでの送信は、理想的には、このセルに関連する他の送信に干渉せず、そして干渉されることはないことを意味する。しかしながら、例えば異なるｅＮｏｄｅＢにより制御される異なるセルのユーザ装置／送信機に同一のリソースブロックが割り当てられた場合、セル間干渉は問題であるままかもしれない。
【００１４】
ｅＮｏｄｅＢが選択を決定しシグナリングするこのアプローチは多くの利点を有し、いくつかの重要な利点は、上りリンクにおける制御情報がより少ないことであり、受信機においてブラインド検出がないことである。ｅＮｏｄｅＢはユーザ装置がどのフォーマットを求めるかを独自に知っているため、上りリンクにおいては伝送フォーマットの情報をシグナリングする必要がない。ＵＴＲＡＮからの経験は、上りリンク制御チャネルは、リソースの観点でぜいたくなものであることを示している。これは、あらゆる上りリンク制御情報の無事な伝送に必要となる相対的な電力量が増加するセル端において、特に当てはまる。
【００１５】
さらに、ユーザ装置は物理上りリンク共有チャネル（ＰＵＳＣＨ）上でのあらゆる自律動作を許可されていないため、ｅＮｏｄｅＢは共有リソースを完全に制御し、ユーザ装置からの伝送を受信したときに多重仮説に頼る必要がない。
【００１６】
ｅＮｏｄｅＢにより完全に制御される共有上りリンクチャネルを伴うＬＴＥ上りリンクスケジューリングのための先のアプローチは、いくつかの有害な欠点を有する。
【００１７】
基地局は、その上りリンクのスケジューリングのため、非常に正確な情報を必要とする。ｅＮｏｄｅＢが最良のリソースと変調及びチャネル符号化を選択するために、ｅＮｏｄｅＢは、現在の上りリンクのリンク条件、端末の電力量、及びユーザ装置のバッファ状態の、非常に正確でタイムリーな情報を必要とする。そのような情報がｅＮｏｄｅＢに提供されることは可能である。しかしながら、その情報には負担が付いてこないことはない。上りリンクのサウンディング（Sounding）を以って、ｅＮｏｄｅＢが上りリンクの品質を測定することは可能である。しかしながら、サウンディングは、システムにおいて追加的な干渉を引き起こし、ユーザ装置の電力を消費する。
【００１８】
ユーザ装置からｅＮｏｄｅＢへの電力ヘッドルーム報告（Power Headroom Report、ＰＨＲ）と、バッファ状態報告（Buffer Status Report、ＢＳＲ）を以って、利用可能な電力とバッファ状態を、それぞれｅＮｏｄｅＢへ報告することができる。
【００１９】
しかしながら、ｅＮｏｄｅＢにおけるこの情報のタイムリーな更新は、望まれないシグナリングオーバーヘッドを引き起こし、無線リソースとユーザ装置の電力との両方を消費するような報告の、非常に頻繁なシグナリングを要求する。電力ヘッドルームとバッファ状態の報告は帯域内で送信され、これは、ＨＡＲＱ再送信が発生する場合にそれらがそのような再送信により遅らせられることをさらに意味する。したがって、そのような再送信は、ｅＮｏｄｅＢにおける、現在のリソースやユーザの伝送の必要性についての情報の受信を遅らせるかもしれない。さらに、その報告に使用されるビット数により制限される量子化に起因して、電力ヘッドルーム報告とバッファ状態報告の両方の精度が制限されることに気づくかもしれない。
【００２０】
要するに、ｅＮｏｄｅＢにおける、上りリンクのリンク品質、電力ヘッドルームおよび／またはユーザ装置のバッファ状態に関する、欠落した、不正確で遅延した情報が、ｅＮｏｄｅＢが上りリンク伝送のための最良のリソースと変調及びチャネル符号化の選択を妨げるかもしれない。結果としての不正確な伝送フォーマット選択の欠点は、例えば、以下の望まれない効果を有することかもしれない。
【００２１】
・現在のリンク条件とユーザ装置の電力量を所与として、命令された伝送フォーマットのｅＮｏｄｅＢにおける無事な受信を確実にするための十分な電力をユーザ装置が有さなかった場合の、余分な再送信および／またはパケットロス。
【００２２】
・伝送フォーマット選択が不必要に「保守的」であり、利用可能なユーザ装置の電力量とバッファ状態でより多くの情報ビットを送ることができた場合の、リソースの過少利用。結果として、ｅＮｏｄｅＢは、ユーザ装置の送信要求を満足させるために、ユーザ装置の電力消費の増加、セル間干渉及び伝送遅延の増加の原因となる、追加的なリソースを続くサブフレームで割り当てる必要があるかもしれない。
【００２３】
・例えば、ｅＮｏｄｅＢがユーザ装置の送信の要求より大きい伝送フォーマットを提示したときのパディングビットの送信。これは、不必要なセル間干渉と、何ら情報の値を伴わないパディングビットを送信するのに注ぎ込まれた、いくらかのユーザ装置の電力のロスをもたらす。
【００２４】
・非常に「小さい」スケジューリング割り当てに起因してユーザ装置が全ての利用可能な情報ビットの送信を許可されなかったときの、伝送の遅延、またはバッファ状態報告の送信に関する前述の遅延に起因するスケジューリング割り当ての遅延。
【００２５】
・例えばバッファ情報の明示的なシグナリングは、リソース利用の観点から犠牲が大きく、それはより低い容量および／またはカバレッジを引き起こす。
【発明の概要】
【発明が解決しようとする課題】
【００２６】
上の不利点の少なくともいくつかを取り除き、無線通信システムにおける性能向上を提供することを目的とする。
【課題を解決するための手段】
【００２７】
第１の態様によれば、ユーザ装置から基地局へ送信される信号のリンクアダプテーションのユーザ装置における方法により目的が達成される。基地局とユーザ装置は無線通信システムの中に含まれる。方法は、基地局から情報を受信することを含む。受信された情報は、ユーザ装置から基地局への信号の送信に利用可能なリソースブロックの指示を含む。また、方法は、ユーザ装置に関連するパラメータとリンクに関連するパラメータとの少なくとも１つを取得することを含む。さらに、方法は、基地局から受信した、指示された利用可能なリソースブロックの部分集合を選択することを含む。基地局へ信号を送信するのに用いられるその選択は、測られたユーザ装置に関連するパラメータと測られたリンクに関連するパラメータとの少なくとも１つに基づく。
【００２８】
第２の態様によれば、ユーザ装置から基地局へ送信される信号のリンクアダプテーションのためのユーザ装置における装置によっても、その目的が達成される。基地局とユーザ装置は無線通信システムの中に含まれる。その装置は、受信器を備える。受信器は基地局から情報を受信するように適合される。受信された情報は、ユーザ装置から基地局への信号の送信に利用可能なリソースブロックの指示を含む。また、装置は、取得部を備える。取得部は、ユーザ装置に関連するパラメータとリンクに関連するパラメータとの少なくとも１つを取得するように適合される。またさらに、装置は選択部を備える。選択部は、基地局から受信した、指示された利用可能なリソースブロックの部分集合を選択するように適合される。リソースブロックの部分集合は、基地局への信号の送信のために用いられるものである。リソースブロックの選択は、観測されたユーザ装置に関連するパラメータと観測されたリンクに関連するパラメータの少なくとも１つに基づく。
【００２９】
第３の態様によれば、ユーザ装置からその基地局へ送信される信号のリンクアダプテーションの実行において、ユーザ装置をアシストするための基地局における方法によって、目的が達成される。基地局とユーザ装置は無線通信システムの中に含まれる。方法は、ユーザ装置へ情報を送信することを含む。その情報は、ユーザ装置から基地局への信号の送信に利用可能なリソースブロックの指示を含む。また、方法は、ユーザ装置からリソースブロックを受信することを含む。受信されるリソースブロックは、先に送信された利用可能なリソースブロックのうちユーザ装置が選択した部分集合である。
【００３０】
第４の態様によれば、ユーザ装置から基地局へ送信される信号のリンクアダプテーションをそのユーザ装置が実行するのをアシストするための、その基地局における装置によっても目的が達成される。基地局とユーザ装置は無線通信システムの中に含まれる。装置は、送信器を備える。送信器は、ユーザ装置へ情報を送信するように適合される。その情報は、ユーザ装置から基地局への信号の送信に利用可能なリソースブロックの指示を含む。さらに、装置は受信器を備える。受信器は、ユーザ装置からリソースブロックを受信するように適合される。受信されるリソースブロックは、先に送信された利用可能なリソースブロックのうちユーザ装置が選択した部分集合である。
【００３１】
ユーザ装置における上りリンクアダプテーションのために本機構を設定することにより、ユーザ装置がより正確でタイムリーな、電力ヘッドルーム、バッファ状態、及び上りリンクと下りリンクの信号伝搬条件により与えられる現在のリンク条件についての情報を有するにつれて、改善された上りリンクアダプテーションが提供される。それにより、より正確なリソース割り当てがなされうるにつれて、上りリンクにおいてより少なく送信されるパディングを以って、基地局と端末との間のシグナリングの総量が減少する。それにより、例えば、より多くの端末が参加するのを許可することによって、システム内のロードを増やすことができる。
【００３２】
上りリンクのスケジューリングのための本方法及び装置は、このように、システム内のより高い容量及びカバレッジをもたらす。また、より良い、またはより正確なスケジューリングの決定が、基地局に代わって端末においてなされうる。さらに、本方法及び装置による総合的なシグナリングの減少により、システムの中のセルあたりのユーザ数を増加させうる。それにより、通信システムにおける性能の改善が提供される。
【００３３】
本発明の他の目的、利点及び今までにない特徴は、以下の本発明の詳細な説明から明らかになるであろう。
【００３４】
本発明の実施形態は、ここで、添付の図面との関連でより詳細に説明されるであろう。
【図面の簡単な説明】
【００３５】
【図１】無線通信システムを図解する概略ブロック図。
【図２Ａ】いくつかの実施形態による通信のスケジューリングを図解するブロック図。
【図２Ｂ】いくつかの実施形態による通信のスケジューリングを図解するブロック図。
【図２Ｃ】いくつかの実施形態による利用可能なリソースブロックの起こりうる選択を図解するブロック図。
【図２Ｄ】いくつかの実施形態によるスケジューリングを図解するブロック図。
【図２Ｅ】いくつかの実施形態によるスケジューリングを図解するブロック図。
【図２Ｆ】いくつかの実施形態によるスケジューリングを図解するブロック図。
【図３】いくつかの実施形態による、通信のスケジューリングを図解するフローチャートおよび事象図を組みわせた図。
【図４】ユーザ装置における方法のステップの実施形態を図解するフローチャート。
【図５】ユーザ装置における装置の実施形態を図解するブロック図。
【図６】基地局における方法のステップの実施形態を図解するフローチャート。
【図７】基地局における装置の実施形態を図解するブロック図。
【発明を実施するための形態】
【００３６】
本発明は、ユーザ装置における方法及び装置として、また、基地局における方法及び装置として定められ、以下説明される実施形態において実現されうる。しかしながら、この発明は、多くの異なる形式で具現化されてもよく、ここで説明される実施形態に限定されるように解釈されるべきではない。むしろ、この開示が綿密で完全であって、そして当業者に本発明の範囲を十分に伝えることができるように、これらの実施形態は提供される。本方法および／または装置が開示される具体的な形式のいずれにも限定される意図はなく、それどころか、本方法及び装置は変形物、等価物、及び請求項により定められるような本発明の範囲内に含まれる代替物をカバーするものであることが理解されるべきである。
【００３７】
図１は、無線通信システム１００の概略説明図である。無線通信システム１００は、少なくとも１つの基地局１１０を備え、少なくとも１つユーザ装置１２０を含むように構成される。基地局１１０は、セル１３０内に位置しているユーザ装置１２０へ無線信号を送信し、そのユーザ装置１２０から無線信号を受信してもよい。
【００３８】
図１では、ただ１つの基地局１１０が示されているが、無線通信システム１００を定めるために、複数の基地局送受信機のもう１つの構成が例えば他のネットワークノードを介して接続されてもよいことが理解されるべきである。さらに、基地局１１０は、例えば使用される無線アクセス技術や専門用語に応じて、例えば、リモート無線ユニット（Remote Radio Unit）、アクセスポイント、ノードＢ、進化型ノードＢ（ｅＮｏｄｅＢ）および／またはベーストランシーバ基地局（base transceiver station）、無線基地局（ＲＢＳ）、アクセスポイント基地局、基地局ルータなどと呼ばれてもよい。
【００３９】
いくつかの実施形態では、ユーザ装置１２０は、無線通信装置、無線通信端末、移動携帯電話、パーソナル通信システム端末、パーソナルデジタルアシスタント（ＰＤＡ）、ラップトップコンピュータ、ユーザ装置、コンピュータ、又はあらゆる他の種類の無線リソースを管理できる装置により代表されてもよい。
【００４０】
無線通信システム１００は、ユニバーサル移動通信サービス（ＵＭＴＳ）、地上無線アクセスネットワーク（ＵＴＲＡＮ）、ｅ−ＵＴＲＡＮとも呼ばれるロングタームエボリューション（ＬＴＥ）、移動通信用グローバルシステム（ＧＳＭ（登録商標））、ＧＳＭ（登録商標）進化型高速データレート（ＥＤＧＥ）、汎用パケット無線サービス（ＧＰＲＳ）、符号分割多元接続（ＣＤＭＡ）、広帯域符号分割多元接続（ＷＣＤＭＡ）、ＣＤＭＡ２０００、高速ダウンリンク・パケット・データ・アクセス（ＨＳＤＰＡ）、高速アップリンク・パケット・データ・アクセス（ＨＳＵＰＡ）、高データレート（ＨＤＲ）、高速パケット・データ・アクセス（ＨＳＰＡ）など、ある程度少し記述するだけでも、任意であり、いずれも例に限定されない。
【００４１】
さらに、ここで使用されるように、無線通信システム１００は、いくつかの実施形態によれば、さらに、ワイヤレスフィデリティ（ＷｉＦｉ）やワールドワイド・インターオペラビリティ・フォー・マイクロウェーブ・アクセス（ＷｉＭＡＸ）のような無線ローカルエリアネットワーク（ＷＬＡＮ）、ブルートゥースを、または他のあらゆる無線通信技術にしたがうものを参照してもよい。
【００４２】
この説明においては、無線通信システム１００がｅ−ＵＴＲＡＮに基づき、基地局１１０がｅＮｏｄｅＢにより表される場合の、本発明のいくつかの典型的なそして非制限的な実施形態が説明される。
【００４３】
しかしながら、本ソリューションは、無線通信ネットワーク１００内において専ら無線インターフェース上で実行されるようには決して制限されず、いくつかのノードが無線で接続されると共にいくつかのノードは有線接続を有する無線通信システム１００内において実行されてもよいことに留意すべきである。
【００４４】
ユーザ装置１２０は、さらに、無線通信システム１００の中に含まれる基地局１１０を介して、図１には示されない他のユーザ装置と通信してもよい。
【００４５】
基地局１１０は、さらに、ユーザ装置１２０から基地局１１０への上りリンクの送信をスケジューリングするように適合される。特定のユーザ装置１２０の特定の上りリンクリソースへのアクセスを許可するために、図３と関連してさらにより詳細に説明されるように、例えばユーザ装置１２０から送信されたスケジューリング要求に基づいて、基地局１１０からその特定のユーザ装置１２０へ許可が送信される。
【００４６】
「下りリンク」という表現は、ここでは、基地局１１０からユーザ装置１２０への送信を特定するのに用いられ、さらに、「上りリンク」という表現はユーザ装置１２０から基地局１１０への送信を示すのに用いられる。
【００４７】
しかしながら、以下の本技術に従って、ユーザ装置１２０が複数の伝送フォーマットの集合から最も適した伝送フォーマットを選択することが許可される場合、むしろ、上述のようにＥ−ＤＣＨとして選択された伝送フォーマットをシグナリングするいくつかの手段を導入すること、又は、ユーザ装置１２０が選択したかもしれない許容される各伝送フォーマットにそれぞれ対応する多数の仮説を基地局１１０が復号処理においてテストする必要がある、基地局１１０における「ブラインド復号」を導入することが要求される。しかしながら、追加的な上りリンクのシグナリングは、例えば、前述の上りリンク制御のシグナリングのコストに起因して望ましくなく、また、ブラインド復号は基地局１１０における追加的な複雑性を生じる。
【００４８】
このように、本発明の実施形態は、選択された伝送フォーマットの新しい上りリンクのシグナリングが要求されず、基地局１１０における複数の伝送フォーマットのブラインド復号を避けることができる、又はブラインド復号の仮説の数を大幅に減らすことができる、ユーザ装置ベースの伝送フォーマット選択機構を導入する。
【００４９】
いくつかの実施形態によれば、本ソリューションは、基地局１１０における「ブラインド復号」、又は上りリンクにおける伝送フォーマットの明示的なシグナリングを導入する必要がないように、又は少なくとも必要がより少ないように、ユーザ装置１２０により選択された伝送フォーマットの黙示的な信号を送信するアイデアに基づく。したがって、本発明の実施形態は、どのようにユーザ装置１２０が伝送の変調及び符号化のような伝送フォーマットを選択してよいかと、１つの選択を前提として、ユーザ装置１２０がいずれのリソースをその伝送に使用してよいかとのユーザ装置における方法を含む。
【００５０】
基地局１１０により利用可能とされたリソースブロックの集合をユーザ装置１２０がどのように利用すべきかのルールを確立することにより、前述の選択された伝送フォーマットの「黙示的なシグナリング」が達成される。
【００５１】
本発明の実施形態は、ユーザ装置１２０が基地局１１０から上りリンクの伝送のために割り当てられたリソースブロックの集合を受信する、ユーザ装置１２０における方法を含む。割り当ての信号は、下りリンクチャネル上で受信されてもよい。それから、ユーザ装置１２０は、データの上りリンクの伝送のためのリソースブロックの部分集合（サブセット）を選択する。リソースブロックの部分集合の選択は、例えば、ユーザ装置１２０のバッファのバッファ状態値、ユーザ装置１２０の電力ヘッドルームのような、ユーザ装置に関連するパラメータに基づく。
【００５２】
本方法及び装置は、複数の利点をもたらす。例えば、基地局において受信された信号対干渉及び雑音比（ＳＩＮＲ）が極めて低いような上りリンクのリソースをスケジューリングすることを避けることは有益である。これは、例えば、ユーザ装置が電力制限される場合に起こることがあり、利用可能な電力リソースが極めて広い帯域幅に拡散される場合に受信器において所望のＳＩＮＲレベルを達成できない。これは、いくつかの実施形態によれば、Ｗｉｍａｘに対して、Ｗｉｍａｘ基地局が上りリンクのリソースの部分集合を制限された電力量を伴ってユーザ装置に割り当てることを可能とするサブチャネライゼーションと呼ばれるソリューションに用いられる１つの動機づけである。
【００５３】
さらに、本方法及び装置は、ＬＴＥ上りリンクにおいて、より良好なリンクアダプテーションをもたらす。それにより、システム１００内で、送信される必要があるパディングがより少なくなる。このように、ユーザ装置１２０が必要としないリソースブロック上で、より少ないセル間干渉が達成される。さらに、受信器におけるより高い受信成功確率による、より少ないＨＡＲＱ送信、すなわち、実行される必要がある送信遅延がより低くなるかもしれない。
【００５４】
図２Ａは、いくつかの実施形態による通信のスケジューリングを図解するブロック図である。
【００５５】
ユーザ装置１２０は、典型的にはＰＤＣＣＨチャネル上で受信され、基地局１１０により送信される、上りリンクの伝送の許可を受信する。図解される非制限的な例では、ＰＤＣＣＨ上でこの許可を識別する識別子の受信器であるユーザ装置１２０のために、基地局１１０は上りリンク伝送のための６つのリソースブロックを割り当てている。割り当てられたリソースブロックは、図式的に、１から６まで番号が付けられている。いくつかの実施形態においては、許可は専用であってよく、そこでは、１つのユーザ装置１２０のみがリソースを利用することが許可される。もう１つの方法として、許可はコンテンションベースであってもよく、そこでは、複数のユーザ装置１２０がリソース上で伝送が許可されうる。
【００５６】
基地局１１０は、６つのリソースブロックが上りリンク伝送に利用可能であることを示す許可を、例えばＰＤＣＣＨ上で送信してもよい。許可は、無線ネットワーク一時識別子（ＲＮＴＩ）により識別されてもよい。ユーザ装置１２０は、６つのリソースブロックの現在の許可が伝送のために利用可能であることをユーザ装置１２０が分かるように、このＲＮＴＩを識別するように構成されることができる。いくつかの実施形態によれば、リソースブロックはこのユーザ装置１２０の専用であってもよく、または、複数のユーザにより利用可能であってもよい。後者の場合、リソースブロックは、衝突が発生する場合に解消される必要があるコンテンションに従ってもよい。基地局１１０は、その許可において特定のＭＣＳが割り当てられることを示してもよい。もう１つの方法としては、ユーザ装置１２０が、利用可能なＭＣＳの集合の中から選択することが可能であってもよい。
【００５７】
いくつかの実施形態によれば、ユーザ装置１２０は、例えば割り当てられたＭＣＳを用いて利用可能な６つのリソースブロックのうち３つだけを用いることで空にされ得る、小さな上りリンクバッファのみを有していてもよい。現状の技術を用いると、ユーザ装置１２０は、依然として伝送ブロックをパディングすることにより大きな伝送ブロックを構築する必要があり、６つのリソースブロックの全てが使用される必要があるであろう。ユーザ装置１２０が電力制限される場合、それは、電力リソースが情報値を伴わないビット、すなわちパディングにおいて浪費されることを意味する。しかしながら、そのような冗長なパディング送信は、本ソリューションにより、取り除かれ、または、少なくともいくぶんか削減されるかもしれない。
【００５８】
さらに、それは、基地局１１０において所望のＳＩＮＲを達成することができないかもしれないことを意味する。しかしながら、本発明のいくつかの実施形態によれば、ユーザ装置１２０は、ここで、リソースブロックの部分集合を選択してもよい。これは、端末送信電力を、必要とされないかもしれないリソースブロック上でパディングビットの送信に費やすことを避けることである。このように、場合によっては利用されるブロック上でのＳＩＮＲの増加をもたらすが、電力はより狭い帯域幅に集中されてもよい。
【００５９】
図２Ｂは、いくつかの実施形態による通信のスケジューリングを図解するブロック図である。
【００６０】
そのバッファ状態および／または電力ヘッドルーム状態に基づいて、ユーザ装置１２０は、許可の中の利用可能なリソースの部分集合を使用することを決定してもよい。図解された例では、ユーザ装置１２０は、３つのリソースブロックのみを利用することにより、パディングを最小化し、又は少なくとも削減する。リソースブロックを利用するための様々なルールが適用されてもよい。図解される典型的な実施形態では、ユーザ装置１２０は「左から右へ」リソースを割り当てる。最初の３つのリソースブロックにおける電力の存在と、残りのリソースブロックの電力の欠如は、いくつかの実施形態によれば、ユーザ装置１２０により選択された伝送フォーマットを示すための、黙示的な信号としての機能を果たすかもしれない。
【００６１】
簡単にするために、ユーザ装置１２０においてリソースブロックを選択するためのルールは、図解のように「左から右」であってもよいことが仮定されてもよい。しかしながら、本発明のいくつかの実施形態は、選択機構がどのＭＣＳをユーザ装置１２０が選択したかを示すように、リソースブロックを選択するための様々なルールを除外しない。ユーザ装置１２０の選択の追加的な態様は、また、リソースブロック選択機構を使用することを示していてもよい。
【００６２】
図２Ｃは、いくつかの実施形態によって、上りリンクの伝送に利用可能とされた６つのリソースブロックから、３つの連続したリソースブロックを選択する複数の方法の例を図解するブロック図である。描画された、シングルキャリアＦＤＭＡ、すなわち連続したブロックを仮定する例では、このように３つのリソースブロックを選択する４つの異なる方法があり、それぞれの選択はユーザ装置１２０により選択された伝送フォーマットの黙示的な表示として用いられてもよい。例えば、上の４つの選択は、例えば、変調および／または符号化の観点で異なっていてもよい。もう１つの方法では、４つの異なる伝送パターンは、ユーザ装置１２０における状態を区別するいくつかの他のパラメータを示していてもよい。基地局１１０は、それから、それぞれのリソースブロック上での電力の存在又は不存在を検出し、それにより、いずれのＭＣＳをユーザ装置１２０が選択したかを推定するであろう。もう１つの方法では、基地局１１０は、ユーザ装置１２０によりなされたリソースブロック選択に応じて、ユーザ装置１２０におけるいくつかの他のパラメータについての情報を受信してもよい。
【００６３】
基地局１１０においては、送信が３つの「最も左の」リソースブロックにおいて発生したが、残りのリソースブロックで電力が検出されなかったことが検出されるかもしれない。このように、基地局１１０は、複数の伝送フォーマットのブラインド検出を伴うことなく、ユーザ装置が特定の伝送フォーマットを選択し使用したという結論を出してもよい。このように、受信器の機構を単純化してもよい。
【００６４】
もう１つの実施形態では、ユーザ装置１２０は大きいバッファを有していてもよいが、例えば基地局１１０までの長い距離に起因して、ユーザ装置１２０が電力リソースを制限している。そのような場合、基地局１１０においてビットごとの電力が受信の成功のためには低すぎるかもしれないため、すなわち、ＳＩＮＲが望まれない低いレベルにあるかもしれないため、ユーザ装置１２０の電力を広い帯域上、すなわち多くのリソースブロックへ拡散することを避けることがより効果的であるかもしれない。そのような場合、ユーザ装置１２０は、その送信電力を、例えば３つのリソースブロック上へ集中させてもよく、その場合、情報ビットの伝送は削減されるかもしれないが、基地局１１０における復号成功確率が向上するかもしれない。そのような場合、ユーザ装置１２０が複数のＭＣＳ間で選択することを許可することが有益であるかもしれない。図２Ｃでは、３つの連続するリソースブロックを利用するための４つの異なる方法が図解されており、その選択のそれぞれが異なるＭＣＳと関連付けられてもよい。
【００６５】
特定の実施形態は、ユーザ装置１２０がそのバッファに全くデータを有さない場合に、いくつかの実施形態によって、ユーザ装置１２０がＰＤＣＣＨ上で許可されたいかなるリソースの利用をも省略してもよいケースを含む。
【００６６】
図２Ｄは、いくつかの実施形態によるスケジューリングを図解するブロック図である。
【００６７】
いくつかの実施形態によれば、基地局１１０から異なるユーザ装置１２０、１２２へ送信された許可はまた、オーバーラップするリソースブロックを用いてもよい。この方法では、ユーザ装置１２０、１２２が全リソースブロック割り当てを用いないことを予期する場合、基地局１１０は機に乗じて統計的多重化を用いてもよい。参照シンボルの異なる位相回転を割り当てることは、その後ユーザ装置１２０、１２２のそれぞれが使用しているリソースブロックを、ひいては伝送フォーマットをも識別することができるように、基地局１１０の復号処理を簡単にするかもしれない。しかしながら、セル１３０、１３２、１３４ごとに利用可能な位相回転がわずか１２個だけであるように、これには制限があるかもしれない。したがって、ユーザ装置にユニークな回転を割り当てることはできないかもしれない。かわりに、いくつかの実施形態によれば、ユーザ装置１２０、１２２は、ランダムに位相回転を選択できてもよい。このように、ある場合では、ユーザ装置１２０、１２２は、同一のリソースブロックで伝送する際に、同一の回転を選択するかもしれない。ともかく、複数のユーザ装置１２０、１２２の伝送を区別する手段として位相回転を利用することは、基地局１１０における復号成功率を向上させるかもしれない。
【００６８】
上の実施形態に対するまたもう１つの改善として、隣接セルのパイロットが所定の閾値より強いこと、または、サービングパイロットと比較して、隣接セルのパイロット相対的なパイロット強度が閾値を超えたことを測定するユーザ装置１２０が、本ソリューションに従って、利用可能なリソースブロックの部分集合を利用していること、その場合、ユーザ装置１２０により利用されるべき部分集合は高レイヤのシグナリングにより提供され、ユーザ装置の選択は本方法により提供される機構によりシグナリングされることが定められてもよい。
【００６９】
さらなる実施形態は、ユーザ装置１２０が伝送フォーマットの限定された集合を割り当てられ、限定された集合は全ての伝送フォーマットの部分集合であり、いくつかの実施形態によれば、ユーザ装置１２０は、限定された集合の伝送フォーマットのいずれかを自由に、バッファの満たされた度合いの状態および／または電力ヘッドルームの少なくとも１つに基づいて、選択することが許可されてもよいソリューションを含む。部分集合は、ＲＲＣシグナリングかＰＤＣＣＨ上でのシグナリングのどちらかにより制御されてもよい。
【００７０】
この機構は、仮説をブラインド復号することが減少されるかもしれないように、基地局１１０の取り組みを減らすかもしれない。
【００７１】
図２Ｅは、いくつかの実施形態によるスケジューリングを図解するブロック図である。
【００７２】
許可が複数のユーザ装置１２０、１２２へ送信される場合、ユーザ装置１２０、１２２に、参照シンボルの異なる移相回転を使用させることにより、適切な復号を単純化することができる。例えば、ユーザ装置１２０がリソースブロック４−６で、ユーザ装置１２２がリソースブロック１−３で、伝送することを決定した場合、基地局１１０は、各リソースブロックにおける参照シンボルを読み出すことにより、１つのユーザ装置１２０が全てのリソースブロック１−６で伝送するのに代えて、２つの異なるユーザ装置１２０、１２２が伝送を実行していることを判定することができる。位相回転の数に達するときの同一の制約が、図２Ｄで説明されたように、ここで適用される。
【００７３】
図２Ｆは、ユーザ装置１２０が、セル１３０、１３２、１３４のそれぞれにおいて、所定のパターンに従って伝送のためのリソースブロックの選択を最初に開始するように構成される場合の、３つのセル１３０、１３２、１３４の典型的な実施形態を図解するブロック図である。セル端のユーザ装置１２０は、より悪い電力量に起因して、より少ないリソースブロックを利用する可能性が高いため、他のセル１３０、１３２、１３４において伝送に干渉しそうなユーザ装置１２０は、隣接セル１３０、１３２、１３４に対してより関係の薄いリソースブロックにおいて伝送をしてもよいという状態となる。基地局１１０の近傍のユーザ装置１２０は、いくつかの実施形態によれば、必要に応じて全てのリソースブロックを利用してもよい。
【００７４】
本発明のまたさらなる実施形態は、取りうる最善の方法においてセル間干渉を低減するための、リソースブロック選択のユーザ装置のパターンを定めるソリューションである。許可において６個のリソースブロックが割り当てられることをまだ仮定すると、隣接セル１３０及び１３２におけるユーザ装置１２０、１２２は、異なる方法でリソースブロック選択を実行していることが定められるかもしれない。例えば、セル１３０におけるユーザ装置１２０がリソースブロック４からのリソースブロック割り当てを開始し、セル１３２におけるユーザ装置１２２がリソースブロック１からのリソースブロック割り当てを開始し、セル１３４におけるユーザ装置１２４がリソースブロック３からのリソースブロック割り当てを開始することが定められてもよい。この方法においては、隣接セル１３０、１３２、１３４におけるユーザ装置１２０、１２２、１２４によるリソースブロックの最初の選択が、図２Ｆに示すように、干渉しないことも可能かもしれない。
【００７５】
図３は、いくつかの実施形態による、通信のスケジューリングを図解するフローチャートおよび事象図を組みわせた図である。
【００７６】
ユーザ装置１２０がバッファに送信するデータを有するとき、ユーザ装置１２０は、ユーザ装置１２０がデータ伝送のためにリソースを要求することの表示を含むスケジューリング要求を基地局１１０へ送信してもよい。
【００７７】
基地局１１０は、下りリンクチャネル上でユーザ装置１２０へ許可を送信することにより応答してもよい。許可が送信されるチャネルは、例えばＬＴＥにおけるＰＤＣＣＨチャネルであってもよく、許可の割り当ては少なくともいずれの上りリンクのリソースブロックが利用可能かの指示により特徴づけられる。
【００７８】
いくつかの実施形態によれば、シグナリングは、従来の仕様の軽微な更新で終わる、従来の下りリンク制御情報（ＤＣＩ）フォーマットを用いて伝達されてもよい。もう１つの方法では、ここで説明される機構をサポートするリソースとユーザ装置１２０とのために、いくつかの新しいＤＣＩが指定されてもよい。
【００７９】
いくつかの実施形態によれば、許可は、また、１つまたは複数の許容される変調及び符号化手法の指示を含んでもよい。
【００８０】
基地局１１０により送信された許可は、「個別リソース」として単一のユーザへ送信される許可、または、「コンテンションに基づくリソース」として複数のユーザ装置１２０が利用可能な許可であってもよい。
【００８１】
ユーザ装置１２０は、その上りリンクの伝送のための許可において利用可能とされたリソースブロックから、リソースブロックの部分集合を選択してもよい。その選択は、ユーザ装置１２０のバッファの満たされた度合いの状態及びユーザ装置１２０の電力ヘッドルームを示すパラメータの少なくとも１つに基づく。
【００８２】
ユーザ装置１２０がどのようにリソースブロックの部分集合を選択してよいかのルールおよび／または制約は、１つ又はいくつかのリソースブロック上での伝送の存在又は不存在がユーザ装置１２０により選択された伝送ブロックの黙示的表示として動作するように、高レイヤによりあらかじめ定められても、又は設定されてもよい。もう１つの方法では、その選択の制約は、ＰＤＣＣＨ上で伝送されてもよい。
【００８３】
ユーザ装置１２０に参照シンボルの位相回転をランダムに選択させることによって、基地局１１０は、多数のユーザ装置１２０が同一のリソースブロックでの伝送を許可された場合に、基地局１１０がより容易に異なるユーザ装置１２０からの伝送を検出することができる。
【００８４】
上りリンク参照信号は、異なる上りリンクの物理チャネルのコヒーレント復調に用いられてもよい。上りリンク参照信号は、各上りリンクのスロットの４番目のシンボルにおいて時間多重されて伝送される。帯域幅は、実行中の上りリンク伝送と同様、すなわち、リソースブロックと同数に及ぶ。参照信号系列は、各グループが起こりうるリソース割り当てのそれぞれに対して１つの系列を含むことができるように、複数のグループに整理される。３０個の異なるグループがあり、セル１３０ごとに１つのグループがある。このように、リソース割り当ての所与の帯域幅に対して、同一の参照信号が使われてもよい。位相回転は、同一のリソースブロックでの複数の伝送間を区別するのに用いることができる。これは、同一のリソースブロックで送信する多数の異なるユーザ装置１２０の伝送を分離するのに用いることができる。これは、例えば、ＰＵＣＣＨの送信に用いてもよい。全体で、１２個の位相回転が利用可能であるが、直交性が保たれるべき場合は全てを利用できるわけではない。いくつかの実施形態によれば、ＰＵＣＣＨに対して、典型的には６つの回転が用いられてもよい。
【００８５】
本ソリューションの具体的な実施形態は、ユーザ装置１２０は、利用可能なリソースブロック上での送信と、伝送のために利用可能とされたリソースブロックのいずれにおいても送信しないという２つのオプションから選択し、いかなる通信をも送らないという決定はバッファの満たされた度合いに基づくものである。特に、バッファが空である場合、ユーザ装置１２０はいかなる上りリンク通信をも送らないことを選択してもよい。
【００８６】
図４は、ユーザ装置１２０における方法のステップ４０１−４０５の実施形態を図解するフローチャートである。方法は、ユーザ装置１２０から基地局１１０へ送信される信号のリンクアダプテーションを実行することを目指す。基地局１１０とユーザ装置１２０は、無線通信システム１００の中に含まれる。
【００８７】
ユーザ装置１２０から基地局１１０へ送信される信号のリンクアダプテーションを適切に実行するために、方法は、いくつかの方法ステップ４０１−４０５を含む。
【００８８】
しかしながら、説明される方法のステップ４０１−４０５のいくつかは任意的なものであり、いくつかの実施形態の中に含まれるのみであることに留意すべきである。さらに、方法のステップ４０１−４０５は、いかなる任意の時間的順序で実行されてもよく、それらのいくつかは、例えばステップ４０１とステップ４０２は、又は全てのステップでさえ、同時に、又は変更され、任意に再構成され、分解され、若しくは完全に反転された時間的順序で、実行されてもよいことに留意すべきである。方法は以下のステップを含む。
【００８９】
（ステップ４０１）
ユーザ装置１２０から基地局１１０への信号の伝送に利用可能なリソースブロックの指示を含む情報が、基地局１１０から受信される。
【００９０】
（ステップ４０２）
許容される変調及び符号化手法の指示を含む情報が、基地局１１０から受信される。このステップはオプションである。
【００９１】
（ステップ４０３）
ユーザ装置に関連するパラメータ又はリンクに関連するパラメータの少なくとも１つが取得される。
【００９２】
ユーザ装置に関連するパラメータは、ユーザ装置１２０のバッファのバッファ状態値、又はユーザ装置１２０の電力ヘッドルームのいずれかであってもよい。
【００９３】
リンクに関連するパラメータは、測定された下りリンクの伝搬損失、測定された下りリンクの参照シンボル強度、測定された下りリンクのパイロット信号強度、又は測定された信号対雑音比（ＳＩＮＲ）のいずれかである。
【００９４】
（ステップ４０４）
測定されたユーザ装置に関連するパラメータ又は測定されたリンクに関連するパラメータに基づいて、基地局１１０から受信した指示された利用可能なリソースブロックの、基地局へ信号を送信するのに用いられるための部分集合が選択される。
【００９５】
基地局１１０から受信した指示された利用可能なリソースブロックの部分集合を選択するステップは、いくつかの実施形態によれば、リソースブロック選択に関する情報を含むテーブルと対照して、測定されたユーザ装置に関連するパラメータ又は測定されたリンクに関連するパラメータをマッピングすることを含んでいてもよい。
【００９６】
いくつかの実施形態によれば、基地局１１０から受信した指示された利用可能なリソースブロックを選択するステップは、選択されたリソースブロックのパターンが上りリンクの制御情報の表示としての機能を果たすように、リソースブロックの部分集合を選択することを含む。上りリンクの制御情報は、伝送フォーマット、必要とされるさらなるリソースの表示、すなわち、ハッピービット（happy bit）、又は電力ヘッドルームのいずれかであってもよい。
【００９７】
さらに、いくつかの実施形態によれば、基地局１１０から受信した指示された利用可能なリソースブロックの部分集合を選択するステップは、ユーザ装置１２０のバッファが空である場合は、ゼロ個のリソースブロックを選択することを含む。
【００９８】
（ステップ４０５）
選択されたリソースブロックの部分集合において基地局１１０へ信号を送信する際に用いられる、変調及び符号化手法が選択される。このステップはオプションである。
【００９９】
図５は、ユーザ装置１２０における装置５００の実施形態を図解するブロック図である。装置５００は、ユーザ装置１２０から基地局１１０へ送信される信号のリンクアダプテーションを実行するための方法のステップ４０１−４０５を実行するように構成される。基地局１１０とユーザ装置１２０は、無線通信システム１００の中に含まれる。
【０１００】
明瞭にする目的で、本方法を理解するのに関連しない装置５００のあらゆる内部電子技術は、図５では省略している。
【０１０１】
ユーザ装置１２０の装置５００は受信器５１０を備える。受信器５１０は、ユーザ装置１２０から基地局１１０への信号の送信に利用可能なリソースブロックの指示を含む情報を、基地局１１０から受信するように構成される。
【０１０２】
さらに、装置５００は、取得部５３０を備える。取得部５３０は、ユーザ装置に関連するパラメータおよび／またはリンクに関連するパラメータの少なくとも１つを取得するように構成される。いくつかの実施形態によれば、取得される少なくとも１つのパラメータは、測定されてもよい。
【０１０３】
また、装置５００は選択部５４０を備える。選択部５４０は、測定されたユーザ装置に関連するパラメータ又は測定されたリンクに関連するパラメータの少なくとも１つに基づいて、基地局１１０から受信した指示された利用可能なリソースブロックの、基地局１１０へ信号を送信するのに用いられる部分集合を選択するように構成される。
【０１０４】
いくつかの実施形態によれば、装置５００はバッファ５５０を備える。オプションのバッファ５５０は、基地局１１０へ送信されるべきデータをバッファリングするように構成される。
【０１０５】
さらに、装置５００は電力ヘッドルーム推定部５６０を備えてもよい。電力ヘッドルーム推定部５６０は、例えば取得部５３０からの要求に応じて電力ヘッドルームを推定するように構成されてもよい。
【０１０６】
さらに、いくつかの実施形態によれば、装置５００はさらに処理部５７０を備える。処理部５７０は、例えば中央処理装置（ＣＰＵ）、プロセッサ、マイクロプロセッサ、又は命令を解釈して実行する他の処理ロジックに相当してもよい。処理部５７０は、データバッファリングと、呼処理制御、ユーザインタフェース制御、又は同様のもののようなデバイス制御機能とを含むデータの入力、出力及び処理のための全てのデータ処理機能を実行してもよい。
【０１０７】
さらに、いくつかの実施形態では、装置５００は送信器５２０を含んでもよい。送信器５２０は無線信号を送信するように構成されてもよい。
【０１０８】
ユーザ装置１２０における装置５００の中に備えられる説明されたユニット５１０−５７０は、分離した論理エンティティとして見なされてもよいが、分離した物理エンティティと見なされる必要はないことに留意すべきである。ユニット５１０−５７０のいずれか、いくつか又は全ては、同一の物理ユニットの中に含まれ、又は共通して構成されてもよい。しかしながら、装置５００の機能性の理解を促進するために、図５では、備えられるユニット５１０−５７０は分離したユニットとして図解されている。
【０１０９】
このように、いくつかの実施形態によれば、１つの物理ユニット、それぞれオプションのアンテナを介して出ていく無線周波数信号を基地局１１０へ送信し、入ってくる無線周波数信号を基地局１１０から受信する、送信器の回路と受信器の回路とを備えてもよい送受信機の中に、受信部５１０と、例えば送信部５２０は含まれていてもよい。
【０１１０】
（ユーザ装置１２０におけるコンピュータプログラム製品）
ユーザ装置１２０における方法のステップ４０１−４０５は、本方法のステップ４０１−４０５の機能を実行するためのコンピュータプログラムコードと一緒に、ユーザ装置１２０の１つ以上の処理部５７０を通じて実装されてもよい。このように、ユーザ装置１２０において方法のステップ４０１−４０５の機能を実行するための命令を含むコンピュータプログラム製品が、ユーザ装置１２０から基地局１１０へ送信される信号のリンクアダプテーションを実行してもよい。基地局１１０とユーザ装置１２０は、無線通信システム１００の中に含まれる。
【０１１１】
上述のコンピュータプログラム製品は、例えば、処理部５７０にロードされるときに本ソリューションによる方法のステップを実行するためのコンピュータプログラムコードを運ぶデータキャリアの形式で提供されてもよい。データキャリアは、例えば、ハードディスク、ＣＤ  ＲＯＭディスク、メモリスティック、光学式記憶装置、磁気記憶装置又はコンピュータが解読できるデータを保持することができるディスクやテープのような他の適切な媒体であってもよい。コンピュータプログラムコードは、さらに、サーバ上での純粋なプログラムコードとして提供され、例えばインターネット又はイントラネット接続上で遠隔的にユーザ装置１２０へダウンロードされることができる。
【０１１２】
さらに、ユーザ装置１２０の中に備えられる処理部５７０上でコンピュータプログラム製品が起動されるときに、ユーザ装置１２０から基地局１１０へ送信される信号のリンクアダプテーションを実行するために、ユーザ装置１２０において上述の方法を実装するための方法のステップ４０１−４０５の少なくともいくつかを実行するための命令を含むコンピュータプログラム製品が用いられてもよい。
【０１１３】
本発明は、ユーザ装置１２０における方法及び装置、および／またはプログラム製品として実現されてもよい。したがって、本発明の実施形態は、全てが一般にここでは「回路」と呼ばれる、完全にハードウェアの実施形態、ソフトウェアの実施形態、又はソフトウェアとハードウェアの態様を組み合わせた実施形態の形式をとってもよい。さらに、本発明の実施形態は、媒体の中に実現されるコンピュータが使用可能なプログラムを有するコンピュータが使用可能な記憶媒体上の、コンピュータプログラム製品の形態をとってもよい。ハードディスク、ＣＤ−ＲＯＭ、光学式記憶装置、インターネットまたはイントラネットをサポートするものであるような伝送媒体、又は磁気記憶媒体などを含む、あらゆる適切なコンピュータ可読媒体を利用することができる。
【０１１４】
図６は、基地局１１０における方法のステップの実施形態を図解するフローチャートである。その方法は、ユーザ装置１２０から基地局１１０へ送信される信号のリンクアダプテーションの実行において、ユーザ装置１２０をアシストすることを目指す。基地局１１０とユーザ装置１２０は無線通信システム１００の中に含まれる。
【０１１５】
ユーザ装置１２０から基地局１１０へ送信される信号のリンクアダプテーションの実行においてユーザ装置１２０を適切にアシストするために、方法は、基地局１１０において実行される、いくつかの方法のステップ６０１−６０５を含む。
【０１１６】
しかしながら、説明される方法のステップ６０１−６０５のいくつかは任意的なものであり、いくつかの実施形態の中に含まれるのみであることに留意すべきである。さらに、方法のステップ６０１−６０５は、いかなる任意の時間的順序で実行されてもよく、それらのいくつかは、例えばステップ６０２とステップ６０３は、又は全てのステップでさえ、同時に、又は変更され、任意に再構成され、分解され、若しくは完全に反転された時間的順序で、実行されてもよいことに留意すべきである。方法は以下のステップを含む。
【０１１７】
（ステップ６０１）
ユーザ装置１２０から基地局１１０への信号の伝送に利用可能なリソースブロックが選択される。このステップはオプションである。
【０１１８】
（ステップ６０２）
情報がユーザ装置１２０へ送信される。情報は、ユーザ装置１２０から基地局１１０への信号の伝送に利用可能なリソースブロックの指示を含む。
【０１１９】
（ステップ６０３）
情報がユーザ装置１２０へ送信される。いくつかの実施形態によれば、情報は、許容される変調や符号化手法を含む。このステップはオプションである。
【０１２０】
（ステップ６０４）
指示された利用可能なリソースブロックのうちユーザ装置が選択した部分集合であるリソースブロックが、ユーザ装置１２０から受信される。
【０１２１】
（ステップ６０５）
受信リソースブロックの中でパターンが検出される。ユーザ装置１２０から基地局１１０へ送信されるパターンは、上りリンク制御情報の表示としての機能を果たす。上りリンク制御情報は、いくつかの実施形態によれば、伝送フォーマット、さらなるリソースの要求、または電力ヘッドルームのいずれかであってもよい。このステップはオプションである。
【０１２２】
図７は、基地局１１０における装置７００の実施形態を図解するブロック図である。装置７００は、ユーザ装置１２０から基地局１１０へ送信される信号のリンクアダプテーションの実行において、ユーザ装置１２０をアシストするための方法のステップ６０１−６０５を実行するように構成される。基地局１１０とユーザ装置１２０は、無線通信システム１００の中に含まれる。
【０１２３】
明瞭にする目的で、本方法を理解するのに全面的に必要ではない装置７００のあらゆる内部電子技術は、図７では省略している。
【０１２４】
装置７００は、送信器７２０を備える。送信器７２０は、ユーザ装置１２０から基地局１１０への信号の伝送に利用可能なリソースブロックの指示を含む情報を、ユーザ装置１２０へ送信するように適合される。
【０１２５】
また、装置７００は受信器７４０を備える。受信器７４０は、指示された利用可能なリソースブロックのユーザ装置が選択した部分集合であるリソースブロックを、ユーザ装置１２０から受信するように適合される。
【０１２６】
またさらに、装置７００は、いくつかの実施形態によれば、選択部７１０を備えてもよい。選択部７１０はユーザ装置１２０から基地局１１０への信号の伝送に利用可能なリソースブロックを選択するように適合されてもよい。
【０１２７】
まださらに、いくつかの実施形態による装置７００は検出部７５０を備えていてもよい。検出部７５０は、受信リソースブロックの中で、上りリンク制御情報の表示としての機能を果たすパターンを検出するように適合されてもよい。上りリンク制御情報は、伝送フォーマット、さらなるリソース要求の表示、又は電力ヘッドルームのいずれかであってもよい。
【０１２８】
さらに、装置７００は、いくつかの実施形態によれば、さらに処理部７６０を備える。処理部７６０は、例えば中央処理装置（ＣＰＵ）、プロセッサ、マイクロプロセッサ、又は命令を解釈して実行する他の処理ロジックに相当してもよい。処理部７６０は、データバッファリングと、呼処理制御、ユーザインタフェース制御、又は同様のもののようなデバイス制御機能とを含むデータの入力、出力及び処理のためのデータ処理機能を実行してもよい。
【０１２９】
基地局１１０における装置７００の中に備えられる説明されたユニット７１０−７６０は、分離した論理エンティティとして見なされてもよいが、分離した物理エンティティと見なされる必要はないことに留意すべきである。ユニット７１０−７６０のいずれか、いくつか又は全ては、同一の物理ユニットの中に含まれ、又は共通して構成されてもよい。しかしながら、装置７００の機能性の理解を促進するために、図７では、備えられるユニット７１０−７６０は分離したユニットとして図解されている。
【０１３０】
このように、いくつかの実施形態によれば、１つの物理ユニット、それぞれオプションのアンテナを介して出ていく無線周波数信号をユーザ装置１２０へ送信し、入ってくる無線周波数信号をユーザ装置１２０から受信する、送信器の回路と受信器の回路とを備えてもよい送受信機の中に、受信部７４０と、例えば送信部７２０は含まれていてもよい。
【０１３１】
（基地局１１０におけるコンピュータプログラム製品）
基地局１１０における方法のステップ６０１−６０５は、本方法のステップ６０１−６０５の機能を実行するためのコンピュータプログラムコードと一緒に、基地局１１０の１つ以上の処理部７６０を通じて実装されてもよい。このように、基地局１１０において方法のステップ６０１−６０５の機能を実行するための命令を含むコンピュータプログラム製品が、ユーザ装置１２０から基地局１１０へ送信される信号のリンクアダプテーションの実行において、ユーザ装置１２０をアシストしてもよい。基地局１１０とユーザ装置１２０は、無線通信システム１００の中に含まれる。
【０１３２】
上述のコンピュータプログラム製品は、例えば、処理部７６０にロードされるときに本ソリューションによる方法のステップを実行するためのコンピュータプログラムコードを運ぶデータキャリアの形式で提供されてもよい。データキャリアは、例えば、ハードディスク、ＣＤ  ＲＯＭディスク、メモリスティック、光学式記憶装置、磁気記憶装置又はコンピュータが解読できるデータを保持することができるディスクやテープのような他の適切な媒体であってもよい。コンピュータプログラムコードは、さらに、サーバ上での純粋なプログラムコードとして提供され、例えばインターネット又はイントラネット接続上で遠隔的に基地局１１０へダウンロードされることができる。
【０１３３】
さらに、基地局１１０の中に備えられる処理部７６０上でコンピュータプログラム製品が起動されるときに、ユーザ装置１２０から基地局１１０へ送信される信号のリンクアダプテーションの実行においてユーザ装置１２０をアシストしてよい基地局１１０において、上述の方法を実装するための方法のステップ６０１−６０５の少なくともいくつかを実行するための命令を含むコンピュータプログラム製品が用いられてもよい。
【０１３４】
本発明は、基地局１１０における方法及び装置、および／またはプログラム製品として実現されてもよい。したがって、本発明の実施形態は、全てが一般にここでは「回路」と呼ばれる、完全にハードウェアの実施形態、ソフトウェアの実施形態、又はソフトウェアとハードウェアの態様を組み合わせた実施形態の形式をとってもよい。さらに、本発明の実施形態は、媒体の中に実現されるコンピュータが使用可能なプログラムを有するコンピュータが使用可能な記憶媒体上の、コンピュータプログラム製品の形態をとってもよい。ハードディスク、ＣＤ−ＲＯＭ、光学式記憶装置、インターネットまたはイントラネットをサポートするものであるような伝送媒体、又は磁気記憶媒体などを含む、あらゆる適切なコンピュータ可読媒体を利用することができる。
【０１３５】
さらに、例を用いて、そして理解を簡単にするために、所望の信号のレベルとバックグラウンドノイズ及び信号妨害との間の比である信号対干渉及び雑音比（Signal to Interference and Noise Ratio、ＳＩＮＲ）を表す時、このテキストでは用語ＳＩＮＲが一貫して使用されている。比が高くなると、バックグラウンドノイズがより目立たなくなる。しかしながら、例えば信号対雑音比（Signal to Noise Ratio、ＳＮＲまたはＳ／Ｎ）、信号対雑音及び干渉比（Signal to Noise and Interference Ratio、ＳＮＩＲ）、信号対雑音及び干渉比（Signal to noise and Interference Ratio、ＳＩＲ）、又は干渉対信号比（Interference to Signal Ratio、ＩＳＲ）のような比の逆数のような、同一の又は同様の比を表すためにときおり使われる他の頭字語が存在する。これらはいずれも、また、同様の比は、この説明との関連で、ＳＩＮＲの代わりに用いられてもよい。
【０１３６】
添付の図において図解された具体的な典型的な実施形態の詳細な説明で使われる専門用語は、本発明を限定することを目的としていない。
【０１３７】
ここで用いられるように、単数形の形式「ａ」「ａｎ」及び「ｔｈｅ」は、別に明らかに記載されない限り、複数の形式も同様に含む。用語「含む（includes）」「備える（comprises）」「含んだ（including）」および／または「備えた（comprising）」は、本明細書で用いられるときに、記載された特徴、整数、ステップ、処理、成分、および／または要素の存在を特定するが、１以上の他の特徴、整数、ステップ、処理、成分、要素、および／またはそれらのグループの存在又は追加を排除しないことが、さらに理解されるであろう。要素が他の要素に「接続され（connected）」又は「つながれ（coupled）」ると言われるときは、それは直接当該他の要素に接続され、またはつながれてもよいし、間に入る要素が存在してもよい。さらに、ここで用いられる「接続され」または「つながれ」は、無線で接続され、つながれることを含んでもよい。ここで用いられるように、用語「および／または」は、１つ以上の関連するリストされた項目のいずれかおよび全ての組み合わせを含む。
【図１】
0005384720.tif 000002
【図２Ａ】
0005384720.tif 000003
【図２Ｂ】
0005384720.tif 000004
【図２Ｃ】
0005384720.tif 000005
【図２Ｄ】
0005384720.tif 000006
【図２Ｅ】
0005384720.tif 000007
【図２Ｆ】
0005384720.tif 000008
【図３】
0005384720.tif 000009
【図４】
0005384720.tif 000010
【図５】
0005384720.tif 000011
【図６】
0005384720.tif 000012
【図７】
0005384720.tif 000013